(57)【特許請求の範囲】
【請求項１】
建物の外壁に設けた開口部に開閉自在に設置された開閉部材の屋外側に取り付けられ開口部周辺における人の存在を検知するセンサ部と、前記センサ部が人を検知すると警報音を発生する警報発生部を収納し前記開閉部材の屋内側に取り付けられる警戒装置本体と、前記開閉部材と前記開口部との隙間に配置され前記センサ部と前記警戒装置本体との間を連結する連結部とを備えた侵入警戒装置であって、前記警報発生部は、警報音として動物の鳴き声を発生するとともに、該警報音のフレーズとして複数のパターンのフレーズを有し、センサ出力が発生するタイミング毎に、前記フレーズをランダムに切り替えて出力することを特徴とする侵入警戒装置。
【請求項２】
建物の外壁に設けた開口部に開閉自在に設置された開閉部材の屋外側に取り付けられ開口部周辺における人の存在を検知するセンサ部と、前記センサ部が人を検知すると警報音を発生する警報発生部を収納し前記開閉部材の屋内側に取り付けられる警戒装置本体と、前記開閉部材と前記開口部との隙間に配置され前記センサ部と前記警戒装置本体との間を連結する連結部とを備えた侵入警戒装置であって、前記警報発生部は、警報音として動物の鳴き声を発生するとともに、該警報音のフレーズとして複数のパターンのフレーズを有し、センサ出力の間隔が規定時間以内で続く間、ランダムなタイミング毎に、前記フレーズをランダムに切り替えて出力することを特徴とする侵入警戒装置。
【請求項３】
建物の外壁に設けた開口部に開閉自在に設置された開閉部材の屋外側に取り付けられ開口部周辺における人の存在を検知するセンサ部と、前記センサ部が人を検知すると警報音を発生する警報発生部を収納し前記開閉部材の屋内側に取り付けられる警戒装置本体と、前記開閉部材と前記開口部との隙間に配置され前記センサ部と前記警戒装置本体との間を連結する連結部とを備えた侵入警戒装置であって、前記警報発生部は、警報音として動物の鳴き声を発生するとともに、該警報音のフレーズとして固定フレーズと複数のパターンのランダム発生用フレーズとを有し、前記センサ部が人を検知すると、まず前記固定フレーズを出力し、その後センサ出力の間隔が規定時間以内で続く間、センサ出力が発生するタイミング毎に、前記ランダム発生用フレーズをランダムに切り替えて出力することを特徴とする侵入警戒装置。
【請求項４】
建物の外壁に設けた開口部に開閉自在に設置された開閉部材の屋外側に取り付けられ開口部周辺における人の存在を検知するセンサ部と、前記センサ部が人を検知すると警報音を発生する警報発生部を収納し前記開閉部材の屋内側に取り付けられる警戒装置本体と、前記開閉部材と前記開口部との隙間に配置され前記センサ部と前記警戒装置本体との間を連結する連結部とを備えた侵入警戒装置であって、前記警報発生部は、警報音として動物の鳴き声を発生するとともに、該警報音のフレーズとして固定フレーズと複数のパターンのランダム発生用フレーズとを有し、前記センサ部が人を検知すると、まず前記固定フレーズを出力し、その後センサ出力の間隔が規定時間以内で続く間、ランダムなタイミング毎に、前記ランダム発生用フレーズをランダムに切り替えて出力することを特徴とする侵入警戒装置。
【請求項５】
前記動物の鳴き声は、犬の鳴き声であることを特徴とする請求項１乃至４の何れか記載の侵入警戒装置。
【請求項６】
前記開閉部材は、扉枠内に開閉自在に取り付けられた玄関扉であることを特徴とする請求項１乃至５の何れか記載の侵入警戒装置。
【請求項７】
前記開閉部材は、窓枠内に開閉自在に取り付けられた窓板であることを特徴とする請求項１乃至５の何れか記載の侵入警戒装置。
【発明の詳細な説明】
【０００１】
【発明の属する技術分野】
本発明は、侵入警戒装置に関するものである。
【０００２】
【従来の技術】
従来この種の侵入警戒装置として、図９に示すように、人体から放射される熱線を検知することにより人の存否を検知する検知ユニット１と、スピーカＳＰと、警戒状態と非警戒状態とを切り替えるスイッチＳＷと、スイッチＳＷにより警戒状態に設定されている場合に検知ユニット１が検知領域内で人を検知するとスピーカＳＰから警報音を発生させる制御部（図示せず）とを収納した警戒装置本体２を、住宅の軒天井部に設置して侵入者を検知するものが提供されている。
【０００３】
【発明が解決しようとする課題】
しかしながら、図１０に示すように、従来の侵入警戒装置では、センサ出力１０ａをトリガとして、固定フレーズの警報音１０ｂを一定期間繰り返し発生させるため、例えば動物の鳴き声の警報音を発生させた場合、実際の動物の鳴き声のようなランダムな音声にならず、その結果侵入者に見破られるといった恐れがあった。
【０００４】
本発明は上記問題点に鑑みて為されたものであって、その目的とするところは、侵入者に見破られにくい侵入警戒装置を提供することにある。
【０００５】
【課題を解決するための手段】
請求項１の発明は、建物の外壁に設けた開口部に開閉自在に設置された開閉部材の屋外側に取り付けられ開口部周辺における人の存在を検知するセンサ部と、前記センサ部が人を検知すると警報音を発生する警報発生部を収納し前記開閉部材の屋内側に取り付けられる警戒装置本体と、前記開閉部材と前記開口部との隙間に配置され前記センサ部と前記警戒装置本体との間を連結する連結部とを備えた侵入警戒装置であって、前記警報発生部は、警報音として動物の鳴き声を発生するとともに、該警報音のフレーズとして複数のパターンのフレーズを有し、センサ出力が発生するタイミング毎に、前記フレーズをランダムに切り替えて出力するものとした。
【０００６】
請求項２の発明は、建物の外壁に設けた開口部に開閉自在に設置された開閉部材の屋外側に取り付けられ開口部周辺における人の存在を検知するセンサ部と、前記センサ部が人を検知すると警報音を発生する警報発生部を収納し前記開閉部材の屋内側に取り付けられる警戒装置本体と、前記開閉部材と前記開口部との隙間に配置され前記センサ部と前記警戒装置本体との間を連結する連結部とを備えた侵入警戒装置であって、前記警報発生部は、  警報音として動物の鳴き声を発生するとともに、該警報音のフレーズとして複数のパターンのフレーズを有し、センサ出力の間隔が規定時間以内で続く間、ランダムなタイミング毎に、前記フレーズをランダムに切り替えて出力するものとした。
【０００７】
請求項３の発明は、建物の外壁に設けた開口部に開閉自在に設置された開閉部材の屋外側に取り付けられ開口部周辺における人の存在を検知するセンサ部と、前記センサ部が人を検知すると警報音を発生する警報発生部を収納し前記開閉部材の屋内側に取り付けられる警戒装置本体と、前記開閉部材と前記開口部との隙間に配置され前記センサ部と前記警戒装置本体との間を連結する連結部とを備えた侵入警戒装置であって、前記警報発生部は、警報音として動物の鳴き声を発生するとともに、該警報音のフレーズとして固定フレーズと複数のパターンのランダム発生用フレーズとを有し、前記センサ部が人を検知すると、まず前記固定フレーズを出力し、その後センサ出力の間隔が規定時間以内で続く間、センサ出力が発生するタイミング毎に、前記ランダム発生用フレーズをランダムに切り替えて出力するものとした。
【０００８】
請求項４の発明は、建物の外壁に設けた開口部に開閉自在に設置された開閉部材の屋外側に取り付けられ開口部周辺における人の存在を検知するセンサ部と、前記センサ部が人を検知すると警報音を発生する警報発生部を収納し前記開閉部材の屋内側に取り付けられる警戒装置本体と、前記開閉部材と前記開口部との隙間に配置され前記センサ部と前記警戒装置本体との間を連結する連結部とを備えた侵入警戒装置であって、前記警報発生部は、警報音として動物の鳴き声を発生するとともに、該警報音のフレーズとして固定フレーズと複数のパターンのランダム発生用フレーズとを有し、前記センサ部が人を検知すると、まず前記固定フレーズを出力し、その後センサ出力の間隔が規定時間以内で続く間、ランダムなタイミング毎に、前記ランダム発生用フレーズをランダムに切り替えて出力するものとした。
【００１０】
請求項５の発明は、請求項１乃至４の何れか記載の発明において、前記動物の鳴き声は、犬の鳴き声であるものとした。
【００１１】
請求項６の発明は、請求項１乃至５の何れか記載の発明において、前記開閉部材は、扉枠内に開閉自在に取り付けられた玄関扉であるものとした。
【００１２】
請求項７の発明は、請求項１乃至５の何れか記載の発明において、前記開閉部材は、窓枠内に開閉自在に取り付けられた窓板であるものとした。
【００１３】
【発明の実施の形態】
以下、本発明を実施形態１から実施形態４によって説明する。
（実施形態１）
図１及び図２に、本実施形態の侵入警戒装置の取り付け状態図を示す。この侵入警戒装置は、例えば焦電素子からなり人体から放射される熱線を検知することで検知エリア１ａ内の人の存否を検知するセンサ部１０を収納した検知ユニット１と、センサ部１０が人を検知すると警報音を発生する警報発生部２０を内部に収納し、前記警報音の音量を３段階（例えば「切」と「小」と「大」）に切り替える音量スイッチ部２２及び前記警報音の種類を例えば「ピンポン音」と「犬の鳴き声」と「アラーム音」の３種類に切り変える音色スイッチ部２１とが正面底部側に配置された警戒装置本体２と、略Ｕ字状に形成され両側片３ｂ、３ｃの先端部にそれぞれ検知ユニット１と警戒装置本体２とが取り付けられた連結部３とからなる。
【００１４】
この侵入警戒装置は、建物の開口部である扉枠２３内に開閉自在に設置された玄関扉Ｇに、検知ユニット１を屋外側Ｘ、警戒装置本体２を屋内側Ｙとし、連結部３の中央片３ａを玄関扉Ｇの上端部に載置するようにして玄関扉Ｇに取り付けられる。
【００１５】
図３に、警報発生部２０の内部構成をブロック図で示す。警報発生部２０は、例えばマイクロコンピュータからなり、検知ユニット１内に収納されたセンサ部１０と音色スイッチ部２１と音量スイッチ部２２からの信号に応じて、音響回路２０１の動作を制御する制御回路２００と、複数の種類の警報音が予め登録された音響回路２０１と、音響回路から発せられた警報音を出力するスピーカ２０２とからなる。
【００１６】
ここで、当該侵入警戒装置の動作を説明すると、音量スイッチ部２２の音量が「切」以外の時、侵入者が外部より玄関扉Ｇに近づいてき、センサ部１０の検知エリア１ａ内に入ると、センサ部１０が侵入者を検知して人体検知信号であるセンサ出力を制御回路２００に出力する。それを受けた制御回路２００は、音色スイッチ部２１により選択されている警報音を音響回路２０１及びスピーカ２０２を用いて発生させ、侵入者に警報を与える。
【００１７】
さらに、警報音の種類として「犬の鳴き声」が選択されている場合の制御回路２００の動作を詳説する。音響回路２０１には、予め「犬の鳴き声」の音データとして、"ワン"というようなフレーズＡと、"ワワン"というようなフレーズＢの２種類のフレーズが登録されている。図４に示すように、センサ部１０が人体を検知するとセンサ出力４ａが制御回路２００へと入ってくる。センサ出力４ａは、検知した人体の周囲との温度差や通過速度等の条件でランダムな間隔で出力される。
【００１８】
制御回路２００は、４ｂに示すようにセンサ出力４ａが発生するタイミング毎に、前記犬の鳴き声のフレーズＡ，Ｂを、例えば乱数等によってランダムに切り替えて、音響回路２０１を通して、出力する。
【００１９】
その結果、スピーカ２０２からランダムな間隔で且つランダムな順序で２つのフレーズＡ，Ｂが出力され、実際の犬の鳴き声のようにランダムな鳴き声の警報音となる。
【００２０】
警報音として「ピンポン音」及び「アラーム音」が選択されている場合は、従来例と同様に、図１０に示すように、センサ部１０が人体を検知したセンサ出力１０ａをトリガとして、音響回路２０１から「ピンポン音」或いは「アラーム音」の固定フレーズの音データ１０ｂが一定期間繰り返し出力される。
【００２１】
尚、「犬の鳴き声」のフレーズは、２種類だけでなく、もっと多くてもよい。
【００２２】
また、警報音の音量は３段階に限定されるものではなく、例えば「切」と「入」の２段階でも良い。
【００２３】
また、警報音の種類は、３種類に限定されるものではなく、例えば「ピンポン音」と「犬の鳴き声」の２種類だけでも良い。
【００２４】
また、本実施例では、侵入警戒装置を玄関扉Ｇに取り付けた場合を例にして説明を行ったが、侵入警戒装置の設置部位を玄関扉Ｇに限定する趣旨のものではなく、例えば図５（ａ），（ｂ）に示すように、窓板３１に侵入警報装置を取り付けて、窓からの侵入者を警戒するようにしても良い。則ち、侵入警戒装置は、検知ユニット１を屋外側、警戒装置本体２を屋内側とし、連結部３の両側片３ｂ，３ｃの間に窓板３１を挟むと共に、窓板３１のスライド方向の端部と窓枠３０との間の隙間に連結部３の中央片３ａを挟んだ状態で窓板３１に取り付けられて、窓からの侵入者を検出する。
【００２５】
（実施形態２）
本実施形態における基本構成は実施形態１と共通するために共通する部分については説明を省略し、本実施形態の特徴となる部分についてのみ詳細に説明する。則ち、本実施形態は、実施形態１に対して、音色スイッチ部２１によって「犬の鳴き声」の警報音が選択されている時の、制御回路２００の動作が異なっている点に特徴がある。
【００２６】
図６に示すように、センサ部１０が人体を検知すると、センサ出力６ａが制御回路２００へと入ってくる。センサ出力６ａは、検知した人体の周囲との温度差や通過速度等の条件でランダムな間隔で出力される。
【００２７】
ここで、音量スイッチ部２２の音量が「切」以外で、且つ音色スイッチ部２１によって「犬の鳴き声」の警報音が選択されている場合、制御回路２００は、センサ出力間隔ｔが規定時間Ｔ以内で続く間は、一つのセンサ検知期間６ｂとみなして、６ｃに示すようにセンサ検知期間６ｂの間、例えば乱数等によって決めたランダムなタイミング毎に、前記犬の鳴き声のフレーズＡ，Ｂを、例えば乱数等によってランダムに切り替えて、音響回路２０１を通して出力する。
【００２８】
その結果、センサ検知期間６ｂの間、スピーカ２０２からランダムな間隔で且つランダムな順序で２つのフレーズＡ，Ｂが出力され、実際の犬の鳴き声のようにランダムな鳴き声の警報音となる。
【００２９】
尚、「犬の鳴き声」のフレーズは、２種類だけでなく、もっと多くてもよい。
【００３０】
（実施形態３）
本実施形態における基本構成は実施形態１と共通するために共通する部分については説明を省略し、本実施形態の特徴となる部分についてのみ詳細に説明する。すなわち本実施形態は、実施形態１に対して、予め音響回路２０１に登録されている犬の鳴き声のデータと、音色スイッチ部２１によって「犬の鳴き声」の警報音が選択されている時の、制御回路２００の動作が異なっている点に特徴がある。
【００３１】
本実施形態の音響回路２０１には、予め「犬の鳴き声」の音データとして、例えば、"ワン"というようなランダム発生用フレーズＡと、"ワワン"というようなランダム発生用フレーズＢと、"ウーワンワンワン、ワンワンワン"というような固定フレーズＣが登録されている。
【００３２】
図７に示すように、センサ部１０が人体を検知すると、センサ出力７ａが制御回路２００へと入ってくる。センサ出力７ａは、検知した人体の周囲との温度差や通過速度等の条件でランダムな間隔で出力される。
【００３３】
ここで、音量スイッチ部２２の音量が「切」以外で、且つ音色スイッチ部２１によって「犬の鳴き声」の警報音が選択されている場合、制御回路２００は、７ｃに示すように、センサ出力７ａをトリガとして、まず固定フレーズＣを音響回路２０１を通して発生させる。その後制御回路２００は、センサ出力間隔ｔが規定時間Ｔ以内で続く間は、一つのセンサ検知期間７ｂとみなして、固定フレーズＣの発生終了後、そのセンサ検知期間７ｂの間、センサ出力７ａが発生するタイミング毎に、前記犬の鳴き声のランダム発生用フレーズＡ，Ｂを、例えば乱数等によってランダムに切り替えて、音響回路２０１を通して、出力する。
【００３４】
その結果、センサ検知期間７ｂの間、スピーカ２０２から固定フレーズＣに加えてランダムな間隔で且つランダムな順序で２つのランダム発生用フレーズＡ，Ｂが出力され、実際の犬の鳴き声のようにランダムな鳴き声の警報音となる。
【００３５】
尚、ランダム発生用フレーズは、２種類だけでなく、もっと多くても良い。
【００３６】
（実施形態４）
本実施形態における基本構成は実施形態１と共通するために共通する部分については説明を省略し、本実施形態の特徴となる部分についてのみ詳細に説明する。すなわち本実施形態は、実施形態１に対して、予め音響回路２０１に登録されている犬の鳴き声のデータと、音色スイッチ部２１によって「犬の鳴き声」の警報音が選択されている時の、制御回路２００の動作が異なっている点に特徴がある。
【００３７】
本実施形態の音響回路２０１には、予め「犬の鳴き声」の音データとして、例えば、"ワン"というようなランダム発生用フレーズＡと、"ワワン"というようなランダム発生用フレーズＢと、"ウーワンワンワン、ワンワンワン"というような固定フレーズＣが登録されている。
【００３８】
図８に示すように、センサ部１０が人体を検知すると、センサ出力８ａが制御回路２００へと入ってくる。センサ出力８ａは、検知した人体の周囲との温度差や通過速度等の条件でランダムな間隔で出力される。
【００３９】
ここで、音量スイッチ部２２の音量が「切」以外で、且つ音色スイッチ部２１によって「犬の鳴き声」の警報音が選択されている場合、制御回路２００は、８ｃに示すようにセンサ出力８ａをトリガとして、まず固定フレーズＣを音響回路２０１を通して発生させる。その後制御回路２００は、センサ出力間隔ｔが規定時間Ｔ以内で続く間は、一つのセンサ検知期間８ｂとみなして、固定フレーズＣの発生終了後、そのセンサ検知期間８ｂの間、例えば乱数等によって決めたランダムなタイミング毎に、前記犬の鳴き声のランダム発生用フレーズＡ，Ｂを、例えば乱数等によってランダムに切り替えて、音響回路２０１を通して出力する。
【００４０】
その結果、センサ検知期間８ｂの間、スピーカ２０２から固定フレーズＣに加えてランダムな間隔で且つランダムな順序で２つのランダム発生用フレーズＡ，Ｂが出力され、実際の犬の鳴き声のようにランダムな鳴き声の警報音となる。
【００４１】
尚、ランダム発生用フレーズは、２種類だけでなく、もっと多くても良い。
【００４２】
【発明の効果】
請求項１の発明は、建物の外壁に設けた開口部に開閉自在に設置された開閉部材の屋外側に取り付けられ開口部周辺における人の存在を検知するセンサ部と、前記センサ部が人を検知すると警報音を発生する警報発生部を収納し前記開閉部材の屋内側に取り付けられる警戒装置本体と、前記開閉部材と前記開口部との隙間に配置され前記センサ部と前記警戒装置本体との間を連結する連結部とを備えた侵入警戒装置であって、前記警報発生部は、警報音として動物の鳴き声を発生するとともに、該警報音のフレーズとして複数のパターンのフレーズを有し、センサ出力が発生するタイミング毎に、前記フレーズをランダムに切り替えて出力するので、実際の動物の鳴き声のようにランダムな鳴き声の警報音となり、侵入者に見破られにくいという効果がある。
【００４３】
請求項２の発明は、建物の外壁に設けた開口部に開閉自在に設置された開閉部材の屋外側に取り付けられ開口部周辺における人の存在を検知するセンサ部と、前記センサ部が人を検知すると警報音を発生する警報発生部を収納し前記開閉部材の屋内側に取り付けられる警戒装置本体と、前記開閉部材と前記開口部との隙間に配置され前記センサ部と前記警戒装置本体との間を連結する連結部とを備えた侵入警戒装置であって、前記警報発生部は、警報音として動物の鳴き声を発生するとともに、該警報音のフレーズとして複数のパターンのフレーズを有し、センサ出力の間隔が規定時間以内で続く間、ランダムなタイミング毎に、前記フレーズをランダムに切り替えて出力するので、請求項１の発明と同様に実際の動物の鳴き声のようにランダムな鳴き声の警報音となり、侵入者に見破られ難いという効果がある。
【００４４】
請求項３の発明は、建物の外壁に設けた開口部に開閉自在に設置された開閉部材の屋外側に取り付けられ開口部周辺における人の存在を検知するセンサ部と、前記センサ部が人を検知すると警報音を発生する警報発生部を収納し前記開閉部材の屋内側に取り付けられる警戒装置本体と、前記開閉部材と前記開口部との隙間に配置され前記センサ部と前記警戒装置本体との間を連結する連結部とを備えた侵入警戒装置であって、前記警報発生部は、警報音として動物の鳴き声を発生するとともに、該警報音のフレーズとして固定フレーズと複数のパターンのランダム発生用フレーズとを有し、前記センサ部が人を検知すると、まず前記固定フレーズを出力し、その後センサ出力の間隔が規定時間以内で続く間、センサ出力が発生するタイミング毎に、前記ランダム発生用フレーズをランダムに切り替えて出力するので、請求項１又は２の発明と同様に、実際の動物の鳴き声のようにランダムな鳴き声の警報音となり、侵入者に見破られにくいという効果がある。
【００４５】
請求項４の発明は、建物の外壁に設けた開口部に開閉自在に設置された開閉部材の屋外側に取り付けられ開口部周辺における人の存在を検知するセンサ部と、前記センサ部が人を検知すると警報音を発生する警報発生部を収納し前記開閉部材の屋内側に取り付けられる警戒装置本体と、前記開閉部材と前記開口部との隙間に配置され前記センサ部と前記警戒装置本体との間を連結する連結部とを備えた侵入警戒装置であって、前記警報発生部は、警報音として動物の鳴き声を発生するとともに、該警報音のフレーズとして固定フレーズと複数のパターンのランダム発生用フレーズとを有し、前記センサ部が人を検知すると、まず前記固定フレーズを出力し、その後センサ出力の間隔が規定時間以内で続く間、ランダムなタイミング毎に、前記ランダム発生用フレーズをランダムに切り替えて出力するので、請求項１又は２又は３の発明と同様に、実際の動物の鳴き声のようにランダムな鳴き声の警報音となり、侵入者に見破られにくいという効果がある。
【００４７】
請求項５の発明は、請求項１乃至４の何れか記載の発明において、前記動物の鳴き声は、犬の鳴き声であるので、侵入者に番犬がいると錯覚させることができるという効果がある。
【００４８】
請求項６の発明は、請求項１乃至５の何れか記載の発明において、前記開閉部材は、扉枠内に開閉自在に取り付けられた玄関扉であるので、玄関からの侵入者を検知できるという効果がある。
【００４９】
請求項７の発明は、請求項１乃至５の何れか記載の発明において、前記開閉部材は、窓枠内に開閉自在に取り付けられた窓板であるので、窓からの侵入者を検知できるという効果がある。
【図面の簡単な説明】
【図１】実施形態１の侵入警戒装置を玄関扉に取り付けた状態を示す説明図である。
【図２】同上の使用状態を説明する説明図である。
【図３】同上の警報発生部の内部構成を示すブロック図である。
【図４】同上の警報音の発生の仕方を説明する説明図である。
【図５】同上を窓板に取り付けた状態を示す説明図である。
【図６】実施形態２の侵入警戒装置で、警報音の発生の仕方を説明する説明図である。
【図７】実施形態３の侵入警戒装置で、警報音の発生の仕方を説明する説明図である。
【図８】実施形態４の侵入警戒装置で、警報音の発生の仕方を説明する説明図である。
【図９】従来の侵入警戒装置の外観図である。
【図１０】従来の技術の警報音の発生の仕方を説明する説明図である。
【符号の説明】
１  検知ユニット
２  警戒装置本体
３  連結部
３ａ  中央片
３ｂ、３ｃ  両側片
２１  音色スイッチ部
２２  音量スイッチ部
Ｇ  玄関扉
Ｘ  玄関扉の屋外側
Ｙ  玄関扉の屋内側
【図１】
0003714257.tif 000002
【図２】
0003714257.tif 000003
【図３】
0003714257.tif 000004
【図４】
0003714257.tif 000005
【図５】
0003714257.tif 000006
【図６】
0003714257.tif 000007
【図７】
0003714257.tif 000008
【図８】
0003714257.tif 000009
【図９】
0003714257.tif 000010
【図１０】
0003714257.tif 000011